(57)【要約】      （修正有）【課題】使用者に楽しい、ポップ、愛らしいなどの印象を与えるべく、常に芳香を発散させる機能を付加したポップアップ式の見開き体を提供する。【解決手段】芳香機能を有するポップアップ式見開き体の本体１は、見開き体１ａ、ポップアップ体１ｂ、支持片とから構成される。見開き体１ａの内面には、ポップアップ体１ｂが折り畳まれた状態で支持片を介して見開き体１ａの内面と接続されている。本体１を開くことによってポップアップ体１ｂがポップアップする。芳香体２は、本体１とは別体に備えられ、該芳香体２と連接した差込片２ａを備えるとともに香料を含浸させた厚紙などの薄板から構成される。芳香体２は、差込片２ａをポップアップ体１ｂに備えられた差込部１ｂ−１に差し込んで使用する。【選択図】図２
0003177963.tif 000002
【実用新案登録請求の範囲】
【請求項１】
開いたときに立体的な絵柄が構成されるポップアップ式の見開き体において、見開き体の本体に芳香体を着脱可能に備えたことを特徴とする芳香機能を有するポップアップ式見開き体。
【請求項２】
該芳香体に表示された絵柄は、本体に表示された絵柄と関連づけられた絵柄であることを特徴とする請求項１に記載の芳香機能を有するポップアップ式見開き体。
【考案の詳細な説明】
【技術分野】
【０００１】
本考案は、開いたときに立体的な絵柄が構成されるポップアップ式のカードに芳香体を付加したものに関し、特に、表示された絵柄などの内容に関連した絵柄の芳香体を立体物に着脱可能とした芳香機能を有するポップアップ式見開き体に関する。
【背景技術】
【０００２】
従来、開いたときに立体的な絵柄が構成されるポップアップ式のカードが公知である。また、これらポップアップ式のカードで香りを発するようにしたものが提案されている。
【０００３】
例えば、特開平７−６１１６５号公報（特許文献１）に開示された打ち抜き部を有し剥がすと香りの出る印刷物は、香りの出る印刷物で、使用時に芳香成分のマイクロカプセルが破壊されて芳香が発する。当該公報の第５実施例（段落番号００２０及び００２１）及び図８によれば、香水のボトルを打ち抜いてポップアップさせる広告に利用したもので、基材の端の部分の裏面に芳香成分のマイクロカプセルを混入した接着剤層と芳香成分のマイクロカプセル層を形成して、これを折り畳んで雑誌紙面に貼り付けて広告紙面として、利用者が広告紙面を開くと香水のボトルがポップアップし、接着剤層を剥離すると芳香成分のマイクロカプセルの一部が破壊されて香水の香りがすることが記載されている。
【０００４】
また、いわゆる芳香剤としては、ガラス容器に入った芳香液を吸い上げ芯によって室内に蒸散させるものや、デザインされた厚紙に芳香液を含浸させヒモで室内に吊すようなものが公知である。
【先行技術文献】
【特許文献】
【０００５】
【特許文献１】特開平７−６１１６５号公報
【考案の概要】
【考案が解決しようとする課題】
【０００６】
しかしながら、特許文献１は、印刷物を開いた時に香り製品がポップアップし、さらに接着部を剥離する際にマイクロカプセルが破壊されることによって香り製品に関わる香りが発生するよう構成した広告媒体であるので、常に芳香を発散し続けることを目的とした芳香剤とは異なるものである。また、常に芳香を発散させる機能を付加したポップアップ式のカードは従来なかった。また、公知の芳香剤においては、芳香を室内で楽しむことを主眼としているために個々にはデザインされてはいるものの際だって楽しい、ポップ、愛らしいなどの印象を使用者に与えるものではなかった。
【０００７】
そこで本考案は、かかる課題を考慮し常に芳香を発散させる機能を付加したポップアップ式の見開き体を提供し、使用者に楽しい、ポップ、愛らしいなどの印象を大いに与えることを目的としたものである。
【課題を解決するための手段】
【０００８】
かかる課題を解決するために、本考案の請求項１によれば、開いたときに立体的な絵柄が構成されるポップアップ式の見開き体において、見開き体の本体に芳香体を着脱可能に備えたことで解決される。
【０００９】
また、本考案の請求項２によれば、該芳香体に表示された絵柄は、本体に表示された絵柄と関連づけられた絵柄であることで解決される。
【考案の効果】
【００１０】
本考案の請求項１によれば、開いたときに立体的な絵柄が構成されるポップアップ式の見開き体において、見開き体の本体に芳香体を着脱可能に備えたので、本体にキャラクターなどの絵柄を表示されたことと相まって、使用者に対して、楽しい、ポップ、愛らしいなどの印象を大いに与えることのできる芳香機能を有するポップアップ式見開き体を提供することを実現した。
【００１１】
本考案の請求項２によれば、該芳香体に表示された絵柄は、本体に表示された絵柄と関連づけられた絵柄としたので、本体に表示されたキャラクターなどの絵柄と芳香体に表示された絵柄とが相まって、そのキャラクターのさらなる世界観を表すことを可能とした。
【図面の簡単な説明】
【００１２】
【図１】芳香機能を有するポップアップ式見開き体の説明図である。
【図２】芳香体を本体に取り付けた状態を示す説明図である。
【図３】芳香体を本体に取り付けた状態を示す説明図である。
【考案を実施するための形態】
【００１３】
開いたときに立体的な絵柄が構成されるポップアップ式の見開き体において、見開き体の本体に芳香体を着脱可能に備えたことで、使用者に楽しい、ポップ、愛らしいなどの印象を与えることのできる芳香機能を有するポップアップ式見開き体を実現した。
【実施例１】
【００１４】
以下、本考案の芳香機能を有するポップアップ式見開き体の第１の実施例について、図面を参照して詳細に説明する。図１は、本考案の芳香機能を有するポップアップ式見開き体の説明図である。図1（Ａ）は、見開き体（１ａ）を閉じた状態、図1（Ｂ）は、見開き体（１ａ）を開いた状態、図1（Ｃ）は、見開き体（１ａ）を開いて底面から見た状態を示している。また、図２及び図３は、芳香体（２）を本体（１）に取り付けた状態を示す説明図である。
【００１５】
図１に示されるように、芳香機能を有するポップアップ式見開き体の本体（１）は、見開き体（１ａ）、ポップアップ体（１ｂ）、支持片（１ｃ）とから構成される。図1（Ａ）において見開き体（１ａ）の内面には、ポップアップ体（１ｂ）が折り畳まれた状態で支持片（１ｃ）を介して見開き体（１ａ）の内面と接続されている。このように構成された本体（１）は、図１（Ｂ）に示されるように開くことによってポップアップ体（１ｂ）がポップアップする。
【００１６】
芳香体（２）は、本体（１）とは別体に備えられ、該芳香体（２）と連接した差込片（２ａ）を備えるとともに香料を含浸させた厚紙などの薄板から構成される。このように構成された芳香体（２）は、図２に示されるように、差込片（２ａ）をポップアップ体（１ｂ）に備えられた差込部（１ｂ−１）に差し込んで備えられる。また、図３に示されるように、芳香体（２）の差込片（２ａ）を支持片（１ｃ）に差し込んで備えることもできる。
【００１７】
以上のように構成された第１の実施例では、キャラクターなどの絵柄が表示されたポップアップ式見開き体に着脱可能に芳香体（２）を備えたので、使用者に対して、楽しい、ポップ、愛らしいなどの印象を大いに与えることを実現した。
【実施例２】
【００１８】
以下、本考案の第２の実施例について図面を参照して詳細に説明する。第２の実施例においては、該芳香体（２）に表示された絵柄は、本体（１）に表示された絵柄と関連づけられた絵柄であることを特徴としている。
【００１９】
そこで、図１乃至図３に示された絵柄を例として説明をする。本体（１）の最前面のポップアップ体（１ｂ）に表示された絵柄は、クマさんを模した絵柄である。そして背後のポップアップ体（１ｂ）にはクマさんの周囲の情景や飛ぶハチの絵柄が表示され、さらにその背後の見開き体（１ａ）には、遠景である木々や山の絵柄が表示されている。このような絵柄にはクマさんを取り巻く世界観が表現されているので本体（１）に備えられる芳香体（２）に表示される絵柄もこの世界観に沿って関連づけられた絵柄であることで、さらなる世界観を表すことが可能となる。そこで芳香体（２）には花の絵柄を表示した。これによりすべての絵柄が一体となり、使用者にさらなる楽しさ、ポップ、愛らしいなどの印象を与えることのできる芳香機能を有するポップアップ式見開き体を実現した。
【００２０】
前記した本体（１）及び芳香体（２）に表示される絵柄はほんの一例に過ぎない。実在するキャラクターや新たに創作されるキャラクターに応じて本体（１）及び芳香体（２）に表示される絵柄がそのキャラクターの世界観に沿って関連づけられた絵柄であることで大きな効果を奏するのである。例えばかわいいネコのキャラクターの絵柄が本体（１）に表示されているのであれば、芳香体（２）にはリボンの絵柄を表示すれば良いし、海賊のキャラクターの絵柄が本体（１）に表示されているのであれば、芳香体（２）には剣の絵柄を表示すれば良い。
【符号の説明】
【００２１】
１    本体
１ａ  本体
１ｂ  ポップアップ体
１ｂ−１  差込部
１ｃ  支持片
２    芳香体
２ａ  差込片
【図１】
0003177963.tif 000003
【図２】
0003177963.tif 000004
【図３】
0003177963.tif 000005